(57)【特許請求の範囲】
【請求項１】
カードエッジコネクタと、
該カードエッジコネクタから引き出される第１のケーブルと、
該第１のケーブルの引き出し方向に対してほぼ平行に形成された端縁を有する前記カードエッジコネクタの先端部分に設けられ、前記第１のケーブルと接続される第１の端子と、
前記カードエッジコネクタが挿抜されるレセプタクルと、
該レセプタクルから引き出される第２のケーブルと、
前記レセプタクルに設けられ、前記第２のケーブルと接続される第２の端子と、
前記カードエッジコネクタを前記レセプタクルに挿入したときに前記第１の端子と前記第２の端子とが電気的に接続されるように構成されたコネクタであって、
前記カードエッジコネクタの挿抜方向を前記第１のケーブル及び／または前記第２のケーブルの引き出し方向に対して略直交させ、
前記カードエッジコネクタに前記挿抜方向に略平行な第１の端面と、前記レセプタクルに前記挿抜方向に略平行な第１の壁面とを設け、
前記カードエッジコネクタと前記レセプタクルとが結合した状態において、前記第１のケーブル及び／または前記第２のケーブルの引き出し方向の引っ張り力を、前記第１の端面と前記第１の壁面とを当接させて受け得るようにし、
前記第１のケーブルは、フレキシブルプリント基板の配線パターンにより形成されてセンサと接続されており、
前記第１の端子は、前記カードエッジコネクタの挿抜方向の挿入側先端部に前記フレキシブルプリント基板の配線パターンをむき出しにして形成されており、
前記カードエッジコネクタは、前記フレキシブルプリント基板に補強板を重ねて接着形成されていることを特徴とするコネクタ。
【請求項２】
カードエッジコネクタと、
該カードエッジコネクタから引き出される第１のケーブルと、
前記カードエッジコネクタに設けられ、前記第１のケーブルと接続される第１の端子と、
前記カードエッジコネクタが挿抜されるレセプタクルと、
該レセプタクルから引き出される第２のケーブルと、
前記レセプタクルに設けられ、前記第２のケーブルと接続される第２の端子と、
前記カードエッジコネクタを前記レセプタクルに挿入したときに前記第１の端子と前記第２の端子とが電気的に接続されるように構成されたコネクタであって、
前記カードエッジコネクタの挿抜方向を前記第１のケーブル及び／または前記第２のケーブルの引き出し方向に対して略直交させ、
前記カードエッジコネクタに前記挿抜方向に略平行な第１の端面と、前記レセプタクルに前記挿抜方向に略平行な第１の壁面とを設け、
前記カードエッジコネクタと前記レセプタクルとが結合した状態において、前記第１のケーブル及び／または前記第２のケーブルの引き出し方向の引っ張り力を、前記第１の端面と前記第１の壁面とを当接させて受け得るようにし、
前記第２のケーブル（または前記第１のケーブル）の引き出し部を通り、前記挿抜方向に直交する直線に対して、前記第１のケーブル（または前記第２のケーブル）の引き出し部が前記カードエッジコネクタ（または前記レセプタクル）の挿入方向側に位置するように設定されていることを特徴とするコネクタ。
【請求項３】
前記カードエッジコネクタの基部に前記挿抜方向に略平行な第２の端面と、前記レセプタクルのベースハウジングに前記挿抜方向に略平行な第２の壁面とを設け、前記カードエッジコネクタと前記レセプタクルとが結合した状態において、前記第１のケーブル及び／または前記第２のケーブルの反引き出し方向の押し込み力を前記第２の端面と前記第２の壁面とを当接させて受け得るように構成したことを特徴とする請求項１または２に記載のコネクタ。
【請求項４】
前記カードエッジコネクタに前記挿抜方向に略直交する第３の端面と、前記レセプタクルに前記挿抜方向に略直交する第３の壁面とを備え、前記カードエッジコネクタと前記レセプタクルとが結合した状態において、前記第３の端面と前記第３の壁面とが当接し得るように構成されていることを特徴とする請求項１乃至３のいずれかに記載のコネクタ。
【請求項５】
前記カードエッジコネクタの挿抜基板部に前記挿抜方向に略平行な第４の端面と、前記レセプタクルの受穴に前記挿抜方向に略平行な第４の壁面とを設け、前記カードエッジコネクタと前記レセプタクルとが結合した状態において、前記ケーブルの反引き出し方向の押し込み力を前記第４の端面と前記第４の壁面とを当接させて受け得るように構成されていることを特徴とする請求項１乃至４のいずれかに記載のコネクタ。
【請求項６】
前記第２の端面と前記第２の壁面とに、前記カードエッジコネクタと前記レセプタクルとが結合した状態において嵌り合う凹凸部が備えられていることを特徴とする請求項３乃至５のいずれかに記載のコネクタ。
【請求項７】
前記第１の端子には、現用端子と拡張用端子とが設けられていることを特徴とする請求項１乃至６のいずれかに記載のコネクタ。
【請求項８】
請求項１乃至７のいずれかに記載のコネクタに使用するカードエッジコネクタ。
【請求項９】
請求項８に記載のカードエッジコネクタを使用したことを特徴とするセンサ。
【発明の詳細な説明】
【技術分野】
【０００１】
この発明は、ケーブルが引っ張られたときに抜けることがないように抜け止め対策が採られたコネクタ、カードエッジコネクタ及びそれを使用したセンサに関し、特に抜け止めのための別部材を必要とせず、また抜け止めの設定、解除に別途操作を必要としないコネクタ、このコネクタに使用されるカードエッジコネクタ及びこのカードエッジコネクタを使用したセンサに関する。
【背景技術】
【０００２】
従来、中継コードのコネクタと、これに接続するプローブコネクタの抜け止めとしては、中継コードのコネクタに、プローブコネクタのケーブルを除く全体を覆い、回転可能なカバーを備えたものが知られている。このカバーは、プローブコネクタを覆う状態で内部に保持するようにし、プローブコネクタの引き抜き方向への移動を阻止するものである。
【０００３】
しかしながら、上記の構成によると、コネクタに特別な別部材を設ける必要があり、構成が大掛かりであり、コスト高につながるという問題がある。
【０００４】
上記以外には、中継コードのコネクタ内にバネを用いたロック機構を設け、プローブコネクタを接続する場合にロック機構が働くことにより、抜け止め防止を図るものが知られている（特許文献１、２参照）。
【０００５】
しかし、この抜け止め防止に係る構成もコネクタ以外に別部材が必要であり、また、コネクタを取り外す際にはロック機構を解除するためにタブやボタンを操作する必要があり、煩わしいという問題がある。
【０００６】
更に、雄コネクタにフランジを設け、このフランジを雌コネクタの溝穴に嵌合させることにより抜け止めを防止するようにしたコネクタも知られている（特許文献３参照）。
【０００７】
上記のコネクタは構成が簡素であり、特別なロック解除操作が不要という利点があるものの、嵌合力の調整が難しく、容易に抜けてしまったり、またはコネクタを結合すると極めて抜け難く実際の使用に不便であったりする虞がある。
【先行技術文献】
【特許文献】
【０００８】
【特許文献１】米国特許第５３８７１２２号明細書
【特許文献２】米国特許第６１５２７５４号明細書
【特許文献３】特開２００２−３２５７４０号公報
【発明の概要】
【発明が解決しようとする課題】
【０００９】
本発明は上記のような従来のコネクタが有する問題点を解決せんとしてなされたもので、その目的は、特別な別部材を用いることなく、また、抜け止めの設定、解除の操作が不要であり、しかもコネクタの挿抜が容易でありながら適切に抜け止め防止を図ることができるコネクタを提供することである。
【課題を解決するための手段】
【００１０】
本発明に係るコネクタは、カードエッジコネクタと、該カードエッジコネクタから引き出される第１のケーブルと、該第１のケーブルの引き出し方向に対してほぼ平行に形成された端縁を有する前記カードエッジコネクタの先端部分に設けられ、前記第１のケーブルと接続される第１の端子と、前記カードエッジコネクタが挿抜されるレセプタクルと、
該レセプタクルから引き出される第２のケーブルと、前記レセプタクルに設けられ、前記第２のケーブルと接続される第２の端子と、前記カードエッジコネクタを前記レセプタクルに挿入したときに前記第１の端子と前記第２の端子とが電気的に接続されるように構成されたコネクタであって、前記カードエッジコネクタの挿抜方向を前記第１のケーブル及び／または前記第２のケーブルの引き出し方向に対して略直交させ、前記カードエッジコネクタに前記挿抜方向に略平行な第１の端面と、前記レセプタクルに前記挿抜方向に略平行な第１の壁面とを設け、前記カードエッジコネクタと前記レセプタクルとが結合した状態において、前記第１のケーブル及び／または前記第２のケーブルの引き出し方向の引っ張り力を、前記第１の端面と前記第１の壁面とを当接させて受け得るようにし、前記第１のケーブルは、フレキシブルプリント基板の配線パターンにより形成されてセンサと接続されており、前記第１の端子は、前記カードエッジコネクタの挿抜方向の挿入側先端部に前記フレキシブルプリント基板の配線パターンをむき出しにして形成されており、前記カードエッジコネクタは、前記フレキシブルプリント基板に補強板を重ねて接着形成されていることを特徴とする。
【００１１】
本発明に係るコネクタは、カードエッジコネクタと、該カードエッジコネクタから引き出される第１のケーブルと、前記カードエッジコネクタに設けられ、前記第１のケーブルと接続される第１の端子と、前記カードエッジコネクタが挿抜されるレセプタクルと、該レセプタクルから引き出される第２のケーブルと、前記レセプタクルに設けられ、前記第２のケーブルと接続される第２の端子と、前記カードエッジコネクタを前記レセプタクルに挿入したときに前記第１の端子と前記第２の端子とが電気的に接続されるように構成されたコネクタであって、前記カードエッジコネクタの挿抜方向を前記第１のケーブル及び／または前記第２のケーブルの引き出し方向に対して略直交させ、前記カードエッジコネクタに前記挿抜方向に略平行な第１の端面と、前記レセプタクルに前記挿抜方向に略平行な第１の壁面とを設け、前記カードエッジコネクタと前記レセプタクルとが結合した状態において、前記第１のケーブル及び／または前記第２のケーブルの引き出し方向の引っ張り力を、前記第１の端面と前記第１の壁面とを当接させて受け得るようにし、前記第２のケーブル（または前記第１のケーブル）の引き出し部を通り、前記挿抜方向に直交する直線に対して、前記第１のケーブル（または前記第２のケーブル）の引き出し部が前記カードエッジコネクタ（または前記レセプタクル）の挿入方向側に位置するように設定されていることを特徴とする。
【００１２】
本発明に係るコネクタは、前記カードエッジコネクタの基部に前記挿抜方向に略平行な第２の端面と、前記レセプタクルのベースハウジングに前記挿抜方向に略平行な第２の壁面とを設け、前記カードエッジコネクタと前記レセプタクルとが結合した状態において、前記第１のケーブル及び／または前記第２のケーブルの反引き出し方向の押し込み力を前記第２の端面と前記第２の壁面とを当接させて受け得るように構成したことを特徴とする。
【００１３】
本発明に係るコネクタは、前記カードエッジコネクタに前記挿抜方向に略直交する第３の端面と、前記レセプタクルに前記挿抜方向に略直交する第３の壁面とを備え、前記カードエッジコネクタと前記レセプタクルとが結合した状態において、前記第３の端面と前記第３の壁面とが当接し得るように構成されていることを特徴とする。
【００１４】
本発明に係るコネクタは、前記カードエッジコネクタの挿抜基板部に前記挿抜方向に略平行な第４の端面と、前記レセプタクルの受穴に前記挿抜方向に略平行な第４の壁面とを設け、前記カードエッジコネクタと前記レセプタクルとが結合した状態において、前記ケーブルの反引き出し方向の押し込み力を前記第４の端面と前記第４の壁面とを当接させて受け得るように構成されていることを特徴とする。
【００１５】
本発明に係るコネクタは、前記第２の端面と前記第２の壁面とに、前記カードエッジコネクタと前記レセプタクルとが結合した状態において嵌り合う凹凸部が備えられていることを特徴とする。
【００１６】
本発明に係るコネクタは、前記第１の端子には、現用端子と拡張用端子とが設けられていることを特徴とする。
【００１８】
本発明に係るカードエッジコネクタは、請求項１乃至７のいずれかに記載のコネクタに使用するカードエッジコネクタであることを特徴とする。
【００１９】
本発明に係るセンサは、請求項８に記載のカードエッジコネクタを使用したことを特徴とする。
【発明の効果】
【００２０】
本発明のコネクタによれば、カードエッジコネクタを使用し、このカードエッジコネクタの挿抜方向を第１のケーブル及び／または第２のケーブルの引き出し方向に対して略直交させるように構成したので、特に別部材を用いることなく、ケーブルが引っ張られた場合において、第１の端面と第１の壁面とが当接することによってレセプタクル及びカードエッジコネクタの移動が阻止されて抜け防止を図ることができる。しかも、レセプタクルとカードエッジコネクタとの挿抜力に影響を及ぼすことなく、好適である。
【００２１】
本発明のコネクタによれば、ケーブルの引き出し方向の押し込み力を、第２の端面と第２の壁面とを当接させることによって受けるようにしたので、レセプタクル及びカードエッジコネクタの移動が阻止されて抜け防止を図ることができる。
【００２２】
本発明のコネクタによれば、第３の端面と第３の壁面とが当接し得るように構成されているため、カードエッジコネクタとレセプタクルとが結合した状態において、カードエッジコネクタの挿入方向も規制されるため、ケーブルが引き出し方向以外の方向へ引っ張られてカードエッジコネクタとレセプタクルとに回転方向の力がかかっても、有効に抜け防止を図ることができる。
【００２３】
本発明のコネクタによれば、ケーブルの引き出し方向の押し込み力を、第４の端面と第４の壁面とを当接させることによって受けるようにしたので、適切なコンタクトと抜け止め防止を図ることができる。
【００２４】
本発明のコネクタによれば、第２の端面と第２の壁面との凹凸部が嵌り合うことにより、より確実な抜け防止を図ることができる。
【００２５】
本発明のコネクタによれば、カードエッジコネクタには、現用端子と拡張用端子とが設けられているので、接続されるセンサの数や装置の機能が拡張された場合に拡張用端子を用いて対応することができ便利である。
【００２６】
本発明のコネクタによれば、センサから端子までをフレキシブルプリント基板により形成したので、構成が簡単で信頼性が高い。
【００２７】
本発明のコネクタによれば、第１のケーブル及び／または第２のケーブルが引っ張られた場合、カードエッジコネクタとレセプタクルとにそれぞれ挿入方向の力が働くため、より一層の抜け防止を図ることができる。
【００２８】
本発明によるカードエッジコネクタによれば、上記レセプタクルと組み合わせることにより、構成が簡単で、別部材を使用することなく、抜け止めのための設定、解除の動作が不要で、確実な抜け止め効果が得られる。
【００２９】
本発明によるカードエッジコネクタをセンサに使用し、上記レセプタクルと組み合わせることにより、構成が簡単で、別部材を使用することなく、抜け止めのための設定、解除の動作が不要で、確実な抜け止め効果を備えたセンサが得られる。
【図面の簡単な説明】
【００３０】
【図１】本発明の第１の実施形態に係るコネクタの一部破断した要部組立斜視図。
【図２】本発明の第１の実施形態に係るコネクタの要部組立平面図。
【図３】本発明の第１の実施形態に係るコネクタの結合状態を示す要部斜視図。
【図４】本発明の第１の実施形態に係るコネクタの蓋を閉めた状態を示す要部斜視図。
【図５】本発明の第１の実施形態に係るコネクタに用いられるレセプタクルホルダを示す図であり、（ａ）は平面図、（ｂ）はＩ−Ｉ断面図。
【図６】本発明の第１の実施形態に係るコネクタをプローブに適用した場合を示す平面図。
【図７】本発明の第２の実施形態に係るコネクタを示す要部平面図。
【図８】本発明の第３の実施形態に係るコネクタの結合状態においてケーブルが引っ張られる前を示す平面図。
【図９】本発明の第３の実施形態に係るコネクタの結合状態においてケーブルが引っ張られた後を示す平面図。
【発明を実施するための形態】
【００３１】
以下、添付図面を参照して本発明に係るコネクタの実施例を説明する。各図において、同一の構成要素には同一の符号を付して重複する説明を省略する。図１〜図６に、第１の実施形態に係るコネクタを示す。このコネクタは、レセプタクル１０とプラグ３０とにより構成される。このプラグ３０は、カードエッジコネクタ３１であり、一端が、プリント配線されてケーブル３２（第１のケーブル）としてパルスオキシメータのプローブ部５０（センサ）へ接続されるフレキシブルプリント基板（以下、ＦＰＣと記す）４１の他端に補強板としてのリジッド基板４２を接着剤或いは粘着剤を用いて接着して成る。カードエッジコネクタ３１は、その一部が、不織布から成るカバー４３に覆われている基部３１ａと、平面形状が概ね方形状の挿抜基板部３１ｂと、基部３１ａと挿抜基板部３１ｂとの間に位置する中間部３１ｃとにより構成される。
【００３２】
基部３１ａと挿抜基板部３１ｂとの間は、基板が存在しない凹部３１ｄとなっており、中間部３１ｃが細く括れた部位を構成している。挿抜基板部３１ｂの側縁３６ｃは、後述する、カードエッジコネクタ３０からのケーブル３２の引き出し方向に対してほぼ平行に形成されており、この側縁３６ｃをレセプタクル１０に対向させて挿入するため、挿抜基板部３１ｂの側縁３６ｃ側を先端部分と称する。前記先端部分のＦＰＣ４１には、配線パターンによる複数の端子３３（第１の端子）が設けられている。端子３３（第１の端子）から延長されている配線パターン３３ａは、端子３３の部分を除きレジスト３４により被覆されて絶縁されている。
【００３３】
本実施形態においては、端子３３からプローブ部５０までＦＰＣ４１にプリント配線された配線パターン３３で繋ぎ目なく接続しているが、基部３１ａのプローブ部５０側の端部からプローブ部５０までの配線パターンをケーブル３２と称し、前記端部をケーブル３２の引き出し部と称している。カバー４３は、基部３１ａの一部からＦＰＣ４１を経てプローブ部５０までを覆っている。
【００３４】
レセプタクル１０は、上記カードエッジコネクタ３１の面積よりも遥かに広い面積を有するベースハウジング１１にレセプタクルホルダ２０が載置され固定された構成を有している。
【００３５】
レセプタクルホルダ２０は、図５に示されるように直方体形状のハウジング２１の内室２２に、カードエッジコネクタ３１の端子３３の数に対応する複数の導電性のメス端子２３が収納されている。上記の内室２２は、中央部に横長に形成された一連の受穴２４を備えている。この受穴２４には、カードエッジコネクタ３１の端子３３が露出した挿抜基板部３１ｂの半分程度が挿入される。
【００３６】
図５（ｂ）は図５（ａ）のＩ−Ｉ断面図を示しており、メス端子２３が折返部２３ａで折り返され、折り返された下側のメス端子２３（第２の端子）の先端部分に、カードエッジコネクタ３１の端子３３と接触する接触部２３ｂが形成されている。この構成によって、折返部２３ａから接触部２３ｂの間は弾性を有し、接触部２３ｂは挿入された端子３３を押圧するようにして端子３３と接触する。
【００３７】
メス端子２３において、接触部２３ｂの反対側の端部は、接続部２３ｃが形成されており、当該接続部２３ｃは、図示しないパルスオキシメータ本体と接続されるケーブル５１の複数のリード線と接続されている。ケーブル５１は、ベースハウジング１１の引き出し部１２から外部に引き出されている。
【００３８】
レセプタクルホルダ２０の裏面（受穴２４が開口している反対の面）側におけるベースハウジング１１の端縁には、引き出し部１２から延びる外壁１３が形成されており、ベースハウジング１１の角部から内側へ直角に折れて壁面１４（第３の壁面）を形成し、更にレセプタクルホルダ２０の角部近傍において直角に折れて外側壁に沿うように壁面１５（第２の壁面）を形成している。
【００３９】
引き出し部１２から外壁１３とは逆方向へ向かって、引き出し部１２から延びる外壁１６が形成されている。この外壁１６は、レセプタクルホルダ２０の表面（受穴２４が開口している面）側における角部に近いベースハウジング１１の角部からレセプタクルホルダ２０の表面側へ直角に折れ曲がって壁面１７を形成し、レセプタクルホルダ２０の表面側に当接して終端している。
【００４０】
カードエッジコネクタ３１における端子３３が設けられている挿抜基板部３１ｂの幅Ｗ１は、レセプタクルホルダ２０における受穴２４の幅Ｗ２にほぼ等しく形成されている。また、カードエッジコネクタ３１の基部３１ａにおいて、凹部３１ｄの入口部分に位置する角部３８は、レセプタクル１０の壁面１４、１５により形成された角部１８に一致する形状に形成されている。
【００４１】
蓋５４をベースハウジング１１に被せた状態で、蓋５４とベースハウジング１１との間に開口部３５が生じるように構成されている。カードエッジコネクタ３１を前記開口部３５に挿入することにより、レセプタクル１０とプラグ３０とが電気的に接続される(図４)。レセプタクル１０とプラグ３０とを接続した状態では、図６に示すように、ケーブル３２の軸線（ケーブル３２の引き出し方向）とケーブル５１の軸線（ケーブル５１の引き出し方向）とは概ね同一直線上にある。
【００４２】
レセプタクル１０とプラグ３０との挿抜方向は、矢印Ｃによって示されるように、上記ケーブル３２及びケーブル５１の軸線とほぼ直交する方向である。そして、レセプタクル１０へプラグ３０を挿入する際には、ベースハウジング１１の壁面１７にカードエッジコネクタ３１の挿抜基板部３１ｂの端面３６ａ（第４の端面）を摺動させて挿入する。
【００４３】
端子３３がレセプタクルホルダ２０の受穴２４に挿入されてゆくと、カードエッジコネクタ３１における基部３１ａに形成された角部３８を構成する端面３８ａ（第２の端面）がベースハウジング１１の壁面１５に沿って摺動され、上記角部３８を構成する端面３８ｂ（第３の端面）がベースハウジング１１の壁面１４に当接して挿入が終了される。この状態では、端子３３がメス端子２３に接触し電気的に接続状態となる。
【００４４】
上記のように、レセプタクルホルダ２０へカードエッジコネクタ３１の挿抜基板部３１ｂを挿入完了した状態においては、挿抜基板部３１ｂの幅Ｗ１は、レセプタクルホルダ２０における受穴２４の幅Ｗ２にほぼ等しく構成されているため、ケーブル５１とケーブル３２とが、図６において、それぞれ矢印Ａ、Ｂ方向へ引っ張られた場合に、カードエッジコネクタ３１の挿抜基板部３１ｂにおける端面３６ｂ（第１の端面）がレセプタクルホルダ２０の受穴２４の壁面２４ａ（第１の壁面）に当接し、カードエッジコネクタ３１の移動を阻止するように働くので、レセプタクル１０からプラグ３０が抜けることを防止する(図３)。
【００４５】
また、レセプタクルホルダ２０へカードエッジコネクタ３１の挿抜基板部３１ｂを挿入完了した状態においては、カードエッジコネクタ３１の角部３８は、レセプタクル１０の壁面１４、１５により形成された角部１８に当接し、壁面１４（第３の壁面）及び壁面１５（第２の壁面）が端面３８ａ（第２の端面）及び端面３８ｂ（第３の端面）に接触した状態である。このため、プローブ部５０が図６の矢印Ｘや矢印Ｙに示す方向へ引っ張られた場合に、壁面１４、１５がカードエッジコネクタ３１の回転移動を阻止するように働き、レセプタクル１０からプラグ３０を抜け難くする。この機能は、カードエッジコネクタ３１の挿抜基板部３１ｂにおける端面３６ａ（第４の端面）がレセプタクルホルダ２０の受穴２４の壁面２４ｂ（第４の壁面）に当接することによっても実現されている。
【００４６】
図７に、第２の実施形態に係るコネクタの平面図を示す。この実施形態においては、カードエッジコネクタ３１の端面３８ａ（第２の端面）から突起３９が突出している。この突起３９に対応して、レセプタクル１０Ａの壁面１５（第２の壁面）に凹部１９が形成されている。この構成によれば、レセプタクルホルダ２０Ａへカードエッジコネクタ３１の挿抜基板部３１ｂを挿入完了した状態においては、凹部１９に突起３９が嵌合する。このため、凹部１９と突起３９とは、レセプタクル１０Ａまたはプラグ３０Ａの回転移動を抑制する凹凸部として機能する。
【００４７】
また、この実施形態では、プラグ３０Ａの端子３３には、現用端子３３Ｎと拡張用端子３３Ｅとが設けられている。拡張用端子３３Ｅは、プローブ部５０に複数のセンサやＬＥＤなどの拡張機能を実現する電子素子を設ける場合に使用される。この拡張用端子３３Ｅを使用する場合にのみ、これらが拡張機能を実現する電子素子に接続される。
【００４８】
レセプタクルホルダ２０Ａは、拡張用端子３３Ｅの部分だけ大きな受穴２４Ａを備えている。レセプタクル１０のレセプタクルホルダ２０は、現用端子３３Ｎと対応する大きさの受穴２４を備えている。レセプタクル１０には、拡張用端子３３Ｅに対応する計測装置（本体）は接続されていない。このため、レセプタクル１０にプラグ３０Ａを挿入することができず、拡張機能を実現する電子素子が備えられたプローブ部５０を有するプラグ３０Ａを誤接続することがない。レセプタクルホルダ２０Ａは、図１〜６に示すプラグ３０にも、また本実施形態のプラグ３０Ａにも対応しており、接続が可能である。
【００４９】
図８、図９には、第３の実施形態に係るコネクタが概略的に示されている。上述の第１、第２の実施形態においては、レセプタクル１０（１０Ａ）とプラグ３０（３０Ａ）とを接続した状態では、図６に示すように、ケーブル３２の軸線とケーブル５１の軸線とは概ね同一直線上であったが、本実施形態においては、レセプタクルとプラグとを接続した状態で、レセプタクル側のケーブルの軸線とプラグ側のケーブルの軸線とがずれるように構成したことが、第１、第２の実施形態と異なる主要な点である。
【００５０】
図８は、プラグ７０とレセプタクル８０とが接続された状態を示す。符号７５は、プラグ７０の引き出し部７９から引き出されて図示しないプローブに接続されるケーブル（第１のケーブル）である。符号８５はレセプタクル８０の引き出し部８９から引き出されて図示しないパルスオキシメータ本体と接続されるケーブル（第２のケーブル）である。図８においては、ケーブル７５、８５は引っ張られていない状態を示す。
【００５１】
ケーブル７５の引き出し部７９とケーブル８５の引き出し部８９との位置関係は、次のように設定される。すなわち、ケーブル８５（７５）の引き出し部８９（７９）を通り、プラグ７０とレセプタクル８０との挿抜方向に直交する直線に対して、ケーブル７５（８５）の引き出し部７９（８９）がプラグ７０（レセプタクル８０）の挿入方向側に位置するように設定される。
【００５２】
この構成において、ケーブル７５を矢印Ｋ方向へ引っ張り、ケーブル８５を矢印Ｌ方向へ引っ張ると、プラグ７０とレセプタクル８０とは一体で回動して図９の状態となる。この状態においては、ケーブル７５の軸線とケーブル８５の軸線とは、ほぼ同一直線上にあり、この直線に対して、プラグ７０及びレセプタクル８０の挿抜方向、すなわち、当接するプラグ７０の側壁７７（図２における端面３６ｂに相当）及びレセプタクル８０の壁面８７（図２における壁面２４ａに相当）は直角ではない。このため、プラグ７０及びレセプタクル８０はそれぞれ矢印Ｐ、Ｑで示す方向に力を受ける。これらの力は、プラグ７０及びレセプタクル８０をお互いに結合させる方向に作用するので、レセプタクル７０からプラグ８０が抜けることを防止する。
【００５３】
尚、上記実施形態では、パルスオキシメータのコネクタに適用した例としたが、これに限定されるものではない。
【符号の説明】
【００５４】
１０、１０Ａ、８０  レセプタクル        １１  ベースハウジング
１３、１６  外壁                        １４  第３の壁面
１５  第２の壁面                        １９  凹部（凹凸部）
２０、２０Ａ、７２  レセプタクルホルダ  ２１、７１、８１  ハウジング
２３  メス端子（第２の端子）            ２４ａ  第１の壁面
２４ｂ  第４の壁面                      ３０、３０Ａ、７０  プラグ
３１  カードエッジコネクタ              ３１ｂ  挿抜基板部
３２  第１のケーブル                    ３３  端子（第１の端子）
３３Ｅ  拡張用端子                      ３３Ｎ  現用端子
３６ａ  第４の端面                      ３６ｂ  第１の端面
３８ａ  第２の端面                      ３８ｂ  第３の端面
３９  突起（凹凸部）                    ４１  フレキシブルプリント基板
４２  リジッド基板（補強板）            ５０  プローブ部（センサ）
５１  第２のケーブル                    ７５、８５  ケーブル
７９、８９  引き出し部
【図１】
0005576688.tif 000002
【図２】
0005576688.tif 000003
【図３】
0005576688.tif 000004
【図４】
0005576688.tif 000005
【図５】
0005576688.tif 000006
【図６】
0005576688.tif 000007
【図７】
0005576688.tif 000008
【図８】
0005576688.tif 000009
【図９】
0005576688.tif 000010